(57)【要約】      （修正有）【課題】ヒーターを搭載しても排水性の悪化を抑え、さらにはそのヒーター周りの部品の組み付けも容易にした空気調和機の室外ユニットを提供する。【解決手段】基板３と、ヒーター５と、ガイド板と、を備え、ガイド板に上に凹の形状を有する部分を設け、基板３のドレイン穴の近傍で基板３とヒーター５の間にガイド板を配置することにより、基板３とヒーター５との間に隙間ができるため排水性の悪化を抑えることができ、さらにガイド板によりヒーターの組み付け作業が行いやすくなる。【選択図】図２
2018115835.tif 000002
【特許請求の範囲】
【請求項１】
圧縮機や熱交換器等によって形成された冷凍サイクル装置や、ファンやファンモータ等によって形成された送風装置、が搭載された空気調和機の室外ユニットにおいて、前記室外ユニットの底面に、前記冷凍サイクル装置や前記送風装置が載置されている基板を配し、前記基板には前記室外ユニットの内部で発生した水を外部に排出するためのドレイン穴ならびに前記ドレイン穴に水を集めるための複数箇所の傾斜部を備え、前記基板上には、その内部に前記ドレイン穴が存在するようにほぼ閉じた形状のヒーターが載置され、前記ヒーターの少なくともその一部分を前記基板上から離して隙間を設けたことを特徴とする空気調和機の室外ユニット。
【請求項２】
前記ドレイン穴の近傍に、上に凹の形状を有するガイド板を少なくとも１つ搭載し、前記ガイド板の凹部に前記ヒーターを載置し、その上から固定具を取り付けて前記ヒーターを固定する構成とした請求項１に記載の空気調和機の室外ユニット。
【請求項３】
前記基板と前記ヒーターとの間の隙間を０．４ｍｍ以上２．０ｍｍ以下としたことを特徴とする請求項１または２に記載の空気調和機の室外ユニット。
【請求項４】
前記ヒーターを前記ドレイン穴を挟んで略並行になるように配設し、略平行になる部分の一方は前記基板に接するように載置し、他方を前記基板から離して隙間を設ける構成とした請求項１〜３のいずれか１項に記載の空気調和機の室外ユニット。
【請求項５】
前記ヒーターのうち、前記基板に接するように載置した部分は、前記基板から離して隙間を設けるようにした部分よりも、前記基板のより外周側に配置する構成とした請求項４に記載の空気調和機の室外ユニット。
【請求項６】
前記隙間は、前記基板と前記ヒーターとの間に前記ガイド板を挟むことにより構成されていることを特徴とする請求項３〜５のいずれか１項に記載の空気調和機の室外ユニット。
【発明の詳細な説明】
【技術分野】
【０００１】
本発明は基板にヒーターを搭載した空気調和機の室外ユニットに関するものである。
【背景技術】
【０００２】
従来、この種の空気調和機の室外ユニットは、基板に開口するドレイン穴がヒーターのほぼ閉じた形状の内にあるようにヒーターを設置し、ドレイン穴の近傍のヒーターの管部を隔絶板に形成した長形の凹部で囲いながら、基板に押さえることにより固定している（例えば、特許文献１参照）。
【０００３】
図１０は、特許文献１に記載された従来の空気調和機の室外ユニットの基板を示すものである。図１０に示すように、基板１０３と、ヒーター１０５と、隔絶板（ヒーター固定具）１０７から構成されている。
【先行技術文献】
【特許文献】
【０００４】
【特許文献１】特許第３８８２９１０号公報
【発明の概要】
【発明が解決しようとする課題】
【０００５】
しかしながら、前記従来の構成では、ドレイン穴の周囲を囲うようにヒーターが延在するため、基板に溜まった凝縮水等の水の排水性の面で課題があった。さらには、ヒーターを基板に固定する際に、隔絶板をその長形の下に凹となった部分にヒーターが入るように取り付けないといけないため、作業がしづらいという課題も有していた。
【０００６】
本発明は、前記従来の課題を解決するもので、ヒーターを搭載しても排水性の悪化を抑え、さらにはそのヒーター周りの部品の組み付けも容易にした空気調和機の室外ユニットを提供することを目的とする。
【課題を解決するための手段】
【０００７】
前記従来の課題を解決するために、本発明の空気調和機の室外ユニットは、その底面に配した基板に、前記室外ユニットの内部で発生した水を外部に排出するためのドレイン穴ならびに前記ドレイン穴に水を集めるための複数箇所の傾斜部とを備え、前記基板上には、その内部に前記ドレイン穴が存在するようにほぼ閉じた形状のヒーターが載置され、前記ヒーターの少なくともその一部分を前記基板上から離して隙間を設けたものである。
【０００８】
これによって、ヒーターの発する熱により基板上に凍結した氷を溶かし、あるいは凍結を防止し、そのヒーターの下の隙間を水が流れることができ、排水性を確保することができる。
【０００９】
また、本発明の空気調和機の室外ユニットは、基板のドレイン穴の近傍に、上に凹の形状を有するガイド板を少なくとも１つ搭載し、そのガイド板の凹部にヒーターを載置し、その上からヒーター固定具を取り付けることによってヒーターを固定したものである。
【００１０】
これによって、ガイド板によりヒーターの水平方向の動きが抑えられ、ヒーター固定具の取り付け時の作業性が向上する。
【発明の効果】
【００１１】
本発明の空気調和機の室外ユニットは、基板にヒーターを取り付けても排水性の悪化を抑えることができ、さらにヒーター周りの部品の組み付けも容易にすることができる。
【図面の簡単な説明】
【００１２】
【図１】本発明の空気調和機の室外ユニット外観図
【図２】本発明の実施の形態１における底板ブロックの斜視図
【図３】本発明の実施の形態１における底板ブロックの平面図
【図４】本発明の実施の形態１における底板ブロックの分解図
【図５】図４の工程アまでの完成状態を表す斜視図
【図６】図４の工程イまでの完成状態を表す斜視図
【図７】図３のＡ−Ａ断面図
【図８】図７のヒーター固定方法をあらわす図
【図９】図３のＢ−Ｂ断面図
【図１０】従来の底板ブロックの分解図
【発明を実施するための形態】
【００１３】
第１の発明は、圧縮機や熱交換器等によって形成された冷凍サイクル装置や、ファンやファンモータ等によって形成された送風装置、が搭載された空気調和機の室外ユニットにおいて、前記室外ユニットの底面に、前記冷凍サイクル装置や前記送風装置が載置されている基板を配し、前記基板には前記室外ユニットの内部で発生した水を外部に排出するためのドレイン穴ならびに前記ドレイン穴に水を集めるための複数箇所の傾斜部を備え、前記基板上には、その内部に前記ドレイン穴が存在するようにほぼ閉じた形状のヒーターが載置され、前記ヒーターの少なくともその一部分を前記基板上から離して隙間を設けた構成とすることにより、ヒーターの熱によって基板上で凍結した水を溶かしつつ、そのヒーターの下の隙間が水の通り道となるため、ドレイン穴の近傍にヒーターを載置しても排水性の悪化を抑えることができる。
【００１４】
第２の発明は、特に、第１の発明の空気調和機の室外ユニットの基板のドレイン穴の近傍に、上に凹の形状を有するガイド板を少なくとも１つ搭載し、前記ガイド板の凹部に前記ヒーターを載置し、その上から固定具を取り付けて前記ヒーターを固定する構成とすることにより、ヒーターを固定する際にそのガイド板によりヒーターの平面方向の動きが抑えられるため、上下方向の動きを抑える固定具の取り付けがしやすくなる。
【００１５】
第３の発明は、特に、第１または第２の発明の空気調和機の室外ユニットの基板とヒーターとの間の隙間を０．４ｍｍ以上２．０ｍｍ以下とすることにより、ヒーター下を水が流れることによって排水性の悪化を抑えつつ、ヒーターを基板から離したことによる熱の伝わりの低下も抑えることができる。
【００１６】
第４の発明は、特に、第１〜３のいずれか１つの発明の空気調和機の室外ユニットの前記ヒーターを前記ドレイン穴を挟んで略並行になるように配設し、略平行になる部分の一方は前記基板に接するように載置し、他方を前記基板から離して隙間を設ける構成とすることにより、基板に接するヒーターでその熱を基板に確実に伝えつつも、もう一方のヒーターと基板との間にできた隙間がドレイン穴への水の通り道となるため、凍結した水の解凍とその水の排水の両立を図ることができる。
【００１７】
第５の発明は、特に、第４の発明の空気調和機の室外ユニットのヒーターのうち、前記基板に接するように載置した部分は、前記基板から離して隙間を設けるようにした部分よりも、前記基板のより外周側に配置する構成とすることにより、凍結した氷の融解とその水の排水をより効率よく行うことができる。
【００１８】
第６の発明は、特に、第３〜５のいすれか１つの発明の空気調和機の室外ユニットの隙間は、前記基板と前記ヒーターとの間に前記ガイド板を挟むことにより構成するもので、ガイド板で隙間を構成する部品を兼ねさせ、部品点数を少なくすることができる。
【００１９】
以下、本発明の実施の形態について、図面を参照しながら説明する。なお、この実施の形態によって本発明が限定されるものではない。
【００２０】
（実施の形態１）
図１は、空気調和機の室外ユニット１の外観を示し、その室外ユニット１の底面に底板ブロック２が存在する。底板ブロック２上には、圧縮機や熱交換器等によって形成された冷凍サイクル装置や、ファンやファンモータ等によって形成された送風装置、などが搭載されている。
【００２１】
図２は、本発明の第１の実施の形態における底板ブロック２の斜視図を、図３は、底板ブロック２の平面図を示したものである。図２および図３において、底板ブロック２は、基板３と１組の脚４によって形成され、さらに基板３の上にはヒーター５が載置され、ヒーター５は、ヒーター固定具ａ６ならびに隔絶板を兼ねるヒーター固定具ｂ７によって固定されている。また、基板３には、室外ユニット１の内部の水を外部に排出するためのドレイン穴が設けられており、そのドレイン穴に水を導くために、基板３は各所に傾斜や凸部が設けられた形状となっている。ここで、ヒーター５は、特に寒冷地など気温の低い地域において、空気調和機の運転中に基板３上で凍った水を溶かすためのものであり、ドレイン穴を囲うようにほぼ閉じた形状となっている。さらに、図３に示すように、ヒーター５の上には、略Ｌ字型の熱交換器１０が載置され、ヒーター５の一部の上方には熱交換器１０が被さるように存在する。（実施の形態１の構成）
以上のように構成された底板ブロック２について、以下その作用を説明する。
【００２２】
図４は底板ブロック２の分解図を示す。図４のように、本発明の第１の実施の形態における底板ブロック２は、ヒーター５に関連する部品を、点線で囲われたア〜ウの３つの工程で組み付けている。
【００２３】
まず、ヒーター５に関連する部品を取り付ける前の工程として、基板３に脚４を取り付けておく。このように組み付け工程の最初に脚４を取り付けることにより、その脚４を利用して底板ブロック２を平らな台の上に置くことができるため、以降の工程が行いやすくなる。
【００２４】
そして工程アでは、基板３に、ドレイン穴を挟んだ左右両側に、上に凹の形状を有した２つのガイド板８が、ビス９によって固定される。図５が工程ア完了時点の底板ブロック２の斜視図である。
【００２５】
工程イでは、ヒーター５が底板ブロック２に載置される。図６が工程イ完了時点の底板ブロック２の斜視図であるが、ドレイン穴の近傍において、ヒーター５は、基板３の左右方向に長手となるように延在して載置され、さらにドレイン穴を挟んで略並行になっている。そしてその２本のヒーター５のうち、一方はガイド板８の凹部に載置され、もう一方はガイド板８と基板３の外周壁との間に載置される。
【００２６】
工程ウでは、ヒーター５の上からヒーター固定具ａ６およびヒーター固定具ｂ７を置き、ビス９で底板ブロック２に固定する。図２がその完成状態図の斜視図となる。
【００２７】
以上のように、本実施の形態においては、工程アで上に凹の形状を有したガイド板８が基板３に取り付けられているため、工程イで上からその凹部が見えることになる。そのた
め、工程イでヒーター５を置く位置が一目で分かり、組み付け作業が行いやすい。また、ガイド板８の凹部にヒーター５を入れることによってヒーター５の水平方向の動きが抑えられ、工程ウで上下方向の動きを抑えるための固定具であるヒーター固定具ａ６およびヒーター固定具ｂ７の取り付けが行いやすくなる。
【００２８】
次に、以上のように組み付けられた底板ブロック２のドレイン穴の近傍の構成について、以下、その作用を説明する。
【００２９】
図７は、図３のＡ−Ａ断面図である。これは底板ブロック２を、ガイド板８を通るラインで切った断面となるが、この図７のように、この部分においては、ドレイン穴を挟んで略並行に延在するように載置されたヒーター５は、直接もしくはガイド板８を介して基板３に接するように固定されている。これにより、ヒーター５を底板ブロック２にしっかりと固定でき、その熱を基板３に確実に伝えることができる。
【００３０】
図８は、図７のヒーター５の固定方法説明図を示すが、先に述べたように、ガイド板８の上に凹の部分ならびにガイド板８と基板３の外周壁との間に載置されたヒーター５の上方から、ヒーター固定具ｂ７を置き、ビス等で固定されている。このようにヒーター５をガイド板８の上に凹の部分に載置し仮固定してからヒーター固定具ｂ７を取り付けるようにすることにより、その取り付け作業が行いやすくなる。さらには、ヒーター５の水平方向の動きが抑えられているため、ガイド板８のヒーター５を押さえる部分は、ヒーター５の上下方向の動きを抑制できる形状であればよく、図７に示すように、ほぼ平板とすることもでき、ヒーター固定具ｂ７の形状を簡略化することもできる。
【００３１】
図９は、図３のＢ−Ｂ断面図である。これは底板ブロック２を、ドレイン穴中心を通るラインで切った断面であるが、この図９のように、この部分にはガイド板８は存在しない。
ガイド板８はドレイン穴の左右二箇所に分けて載置されているからである。
そのため、ドレイン穴と同一平面にある２本のヒーター５のうちの、外周部側（図９の右側）のものは基板３に接しているものの、内部側（図９の左側）のものは基板３から距離ｄだけ離れた状態となっている。これにより、基板３の内部から流れてくる水を、ヒーター５と基板３との間に設けられた隙間からドレイン穴に流すことができると同時に、外周部側のヒーター５が基板３に接することによってその熱を基板３にしっかりと伝えることができる。
【００３２】
以上のように、本実施の形態においては、基板３と、ドレイン穴と同一平面上にあるヒーター５との間に隙間を設けることにより、ヒーター５によって凍結した水を溶かしつつも、その隙間が水の通り道となるため、排水性の悪化を抑えることができる。さらには、ヒーター５のうち、内部側の部分の下に隙間を設け、外周部側の部分は基板３と密着させることで、より多く流れてくる内部からの水をその隙間からドレイン穴に流して排水性を確保しつつ、水の流れの少ない外周部側で熱を基板３に伝えることで、基板３の上で凍結した水の解凍とその水の排水の両立を図ることができる。
【００３３】
ここで、基板３とヒーター５との間のこの隙間（図９のｄ）は、大きければ排水性が高まるものの、ヒーター５の熱が基板３に伝わりにくくなる。また、反対にこの隙間が狭ければ熱の伝わりはよくなるものの、排水性が悪化する。
この部分は、ヒーター５が基板３から離れているとはいえ、完全に断熱されているのではなく、ヒーター５の熱がある程度基板に伝わり、基板の凍結の防止あるいは氷の融解に役立っている。そのため、ヒーター５と基板３の間に隙間を設けつつ、ヒーター５の熱を基板３に伝えるには、この隙間ｄは０．４ｍｍ以上２．０ｍｍ以内にするとよい。さらには、本実施の形態においてはガイド板８の板厚でその隙間を規定することになるが、０．４
ｍｍ以上２．０ｍｍ以下の肉厚の板は一般的に普及しており使いやすいという利点もある。このように、隙間ｄを０．４ｍｍ以上２．０ｍｍ以内にすることにより、排水性と電熱性の両性能を確保できるだけでなく、本実施の形態の実施を容易になすことができる。
【００３４】
なお、本発明は、上記実施の形態に限定されるものではなく、本発明の範囲内で形状を修正・変更できることは言うまでもない。また、各部品の固定方法はビス止めに限るものではなく、カシメや溶着でも同様の効果が得られる。さらには、各部品の材質を問わないことは言うまでもない。
【産業上の利用可能性】
【００３５】
以上のように、本発明にかかる空気調和機の室外ユニットは、ヒーターを搭載しても排水性が悪化せず、さらにはヒーター周りの部品の組み付けが容易となるため、給湯器等、ヒートポンプを用いた他の機器の室外ユニットにも適用できる。
【符号の説明】
【００３６】
１  室外ユニット
２  底板ブロック
３  基板
４  脚
５  ヒーター
６  ヒーター固定具ａ
７  ヒーター固定具ｂ
８  ガイド板
９  ビス
１０  熱交換器
【図１】
2018115835.tif 000003
【図２】
2018115835.tif 000004
【図３】
2018115835.tif 000005
【図４】
2018115835.tif 000006
【図５】
2018115835.tif 000007
【図６】
2018115835.tif 000008
【図７】
2018115835.tif 000009
【図８】
2018115835.tif 000010
【図９】
2018115835.tif 000011
【図１０】
2018115835.tif 000012